(57)【特許請求の範囲】
【請求項１】
特定のエリアをカバーする一又は複数の基地局装置の識別情報を記憶する第１の記憶部と、
端末装置が第１の基地局装置が報知している該第１の基地局装置の識別情報を受信した場合に、該端末装置によって送信される前記第１の基地局装置の識別情報が前記第１の記憶部に記憶されているか否かを判定する判定部と、
該判定部によって前記第１の基地局装置の識別情報が前記第１の記憶部に記憶されていると判定された場合に、前記端末装置の識別情報をデータ残量管理サーバへ送信する送信部と
を備えるデータ量付与管理サーバと、
複数の端末装置の各々の識別情報と、該端末装置が利用できるデータ量とを対応付けて記憶する第２の記憶部と、
該第２の記憶部に記憶されるデータ量のうち、前記データ量付与管理サーバによって送信される前記端末装置の識別情報に対応するデータ量を増加させるデータ量管理部と、
前記第２の記憶部に記憶される前記端末装置の識別情報のうち、端末装置によって送信されるデータ通信要求に付帯される該端末装置の識別情報に対応するデータ量に基づいて、該データ通信要求を送信した該端末装置によって行われるデータ通信を制御する制御部と
を備える、前記データ残量管理サーバと
を備える、通信データ量管理システム。
【請求項２】
前記第１の記憶部は、前記一又は複数の基地局装置の識別情報の各々と、該基地局装置が報知している該基地局装置の識別情報を端末装置から受信した場合に付与するデータ量とを対応付けて記憶し、
前記送信部は、前記判定部によって前記第１の基地局装置の識別情報が前記第１の記憶部に記憶されていると判定された場合に、前記第１の基地局装置の識別情報に対応する第１のデータ量を表す情報を前記データ残量管理サーバへ送信し、
前記データ量管理部は、前記第２の記憶部に記憶されるデータ量のうち、前記データ量付与管理サーバによって送信される前記端末装置の識別情報に対応するデータ量に前記第１のデータ量を追加する、請求項１に記載の通信データ量管理システム。
【請求項３】
前記第１の記憶部は、前記一又は複数の基地局装置の識別情報の各々と、一又は複数の端末装置の識別情報とを対応付けて記憶し、
前記判定部は、端末装置によって送信される前記第１の基地局装置の識別情報と、該端末装置の識別情報との対応が前記第１の記憶部に記憶されているか否かを判定し、
前記送信部は、前記判定部によって前記第１の記憶部に記憶されていると判定された場合に、前記端末装置の識別情報をデータ残量管理サーバへ送信する、請求項１に記載の通信データ量管理システム。
【請求項４】
前記第１の記憶部は、前記一又は複数の基地局装置の識別情報の各々と、該基地局装置の識別情報によって表される基地局装置が報知している該基地局装置の識別情報を送信した端末装置の識別情報と、該端末装置の識別情報によって表される端末装置へデータ量を付与した日時を表す情報とを対応付けて記憶し、
前記判定部は、端末装置が第１の基地局装置が報知している該第１の基地局装置の識別情報を受信した場合に、該端末装置によって送信される前記第１の基地局装置の識別情報と、該端末装置の識別情報との組み合わせが前記第１の記憶部に記憶され、且つ該端末装置へデータ量を付与した日時を表す情報によって示される日時から所定の期間が経過しているか否かを判定し、
前記送信部は、前記判定部によって前記第１の基地局装置の識別情報と、該端末装置の識別情報との組み合わせが前記第１の記憶部に記憶され、且つ該端末装置へデータ量を付与した日時を表す情報によって示される日時から所定の期間が経過していると判定された場合に、前記端末装置の識別情報をデータ残量管理サーバへ送信する、請求項１に記載の通信データ量管理システム。
【請求項５】
前記第１の記憶部は、複数の端末装置の各々の識別情報と、該端末装置によって送信される前記第１の基地局装置の識別情報のうち、前記判定部によって前記第１の記憶部に記憶されていると判定された基地局装置の識別情報のリストとを対応付けて記憶し、
前記送信部は、該判定部によって前記第１の基地局装置の識別情報が前記第１の記憶部に記憶されていると判定された場合に、前記端末装置の識別情報に対応する基地局装置の識別情報のリストの数が閾値未満である場合に、該端末装置の識別情報をデータ残量管理サーバへ送信する、請求項１に記載の通信データ量管理システム。
【請求項６】
前記制御部は、前記データ通信要求を送信した端末装置によって行われるデータ通信を制御する際に、前記データ量管理部によって増加させたデータ量から利用する、請求項１から請求項５のいずれか１項に記載の通信データ量管理システム。
【請求項７】
特定のエリアをカバーする一又は複数の基地局装置の識別情報を記憶する記憶部と、
端末装置が第１の基地局装置が報知している該第１の基地局装置の識別情報を受信した場合に、該端末装置によって送信される前記第１の基地局装置の識別情報が前記記憶部に記憶されているか否かを判定する判定部と、
該判定部によって前記第１の基地局装置の識別情報が前記記憶部に記憶されていると判定された場合に、前記端末装置の識別情報をデータ残量管理サーバへ送信する送信部と
を備え、
前記データ残量管理サーバは、前記端末装置の前記識別情報に基づいて、前記端末装置が利用できるデータ量を増加させ、前記データ量に基づいて、前記端末装置のデータ通信を制御する、データ量付与管理サーバ。
【請求項８】
複数の端末装置の各々の識別情報と、該端末装置が利用できるデータ量とを対応付けて記憶する記憶部と、
該記憶部に記憶されるデータ量のうち、データ量付与管理サーバによって送信される前記端末装置の識別情報に対応するデータ量を増加させるデータ量管理部と、
該記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御する制御部と
を備え、
前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、データ残量管理サーバ。
【請求項９】
データ量付与管理サーバによって実行されるデータ量付与管理方法であって、
端末装置が第１の基地局装置が報知している該第１の基地局装置の識別情報を受信した場合に、該端末装置によって送信される前記第１の基地局装置の識別情報が、特定のエリアをカバーする一又は複数の基地局装置の識別情報を記憶する記憶部に記憶されているか否かを判定し、
前記第１の基地局装置の識別情報が前記記憶部に記憶されていると判定された場合に、前記端末装置の識別情報をデータ残量管理サーバへ送信する、
前記データ残量管理サーバは、前記端末装置の前記識別情報に基づいて、前記端末装置が利用できるデータ量を増加させ、前記データ量に基づいて、前記端末装置のデータ通信を制御する、データ量付与管理方法。
【請求項１０】
データ残量管理サーバによって実行されるデータ残量管理方法であって、
複数の端末装置の各々の識別情報と、該端末装置が利用できるデータ量とを対応付けて記憶する記憶部に記憶されるデータ量のうち、データ量付与管理サーバによって送信される端末装置の識別情報に対応するデータ量を増加させ、
前記記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御する、
前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、
データ残量管理方法。
【請求項１１】
データ量付与管理サーバのコンピュータに、
端末装置が第１の基地局装置が報知している該第１の基地局装置の識別情報を受信した場合に、該端末装置によって送信される前記第１の基地局装置の識別情報が、特定のエリアをカバーする一又は複数の基地局装置の識別情報を記憶する記憶部に記憶されているか否かを判定するステップと、
前記第１の基地局装置の識別情報が前記記憶部に記憶されていると判定された場合に、前記端末装置の識別情報をデータ残量管理サーバへ送信するステップと
を実行させ、
前記データ残量管理サーバは、前記端末装置の前記識別情報に基づいて、前記端末装置が利用できるデータ量を増加させ、前記データ量に基づいて、前記端末装置のデータ通信を制御するプログラム。
【請求項１２】
データ残量管理サーバのコンピュータに、
複数の端末装置の各々の識別情報と、該端末装置が利用できるデータ量とを対応付けて記憶する記憶部に記憶されるデータ量のうち、データ量付与管理サーバによって送信される端末装置の識別情報に対応するデータ量を増加させるステップと、
前記記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御するステップと
を実行させ、
前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、プログラム。
【発明の詳細な説明】
【技術分野】
【０００１】
本発明は、通信データ量管理システム、データ量付与管理サーバ、データ残量管理サーバ、データ量付与管理方法、データ残量管理方法、及びプログラムに関する。
【背景技術】
【０００２】
公衆無線ＬＡＮ（Ｌｏｃａｌ  Ａｒｅａ  Ｎｅｔｗｏｒｋ）通信が普及し、無線ＬＡＮアクセスポイントが、駅、空港、店舗等の様々な場所に設置されることが多くなってきている。また、パーソナルコンピュータ、携帯電話機、ポータブルゲーム機等のモバイル機器に、無線ＬＡＮ通信機能が標準搭載されるようになってきた。
公衆無線ＬＡＮに関して、無線ＬＡＮアクセスポイントは無線ＬＡＮ通信エリア内に存在する無線端末を検出して検出情報を情報管理装置へ送信し、情報管理装置は無線端末から受信する無線パケットの電波強度、又は、無線パケットを検出することができる時間に基づいて、検出情報を送信した無線ＬＡＮアクセスポイントに対応する通知用情報を、無線ＷＡＮ基地局から検出情報で特定される無線端末に通知させることで、ユーザへ情報の通知を適切に行う技術が知られている（例えば、特許文献１参照）。
【先行技術文献】
【特許文献】
【０００３】
【特許文献１】特開２０１３−２１９７４９号公報
【発明の概要】
【発明が解決しようとする課題】
【０００４】
集客力を向上させるために、店舗では様々な工夫が行われている。例えば、無線ＬＡＮアクセスポイント等の基地局装置を店舗に設置し、店舗に入ったユーザに対して店舗の情報を通知するサービスが行われている。このサービスにより、ユーザに対して店舗の情報を効果的に通知することが可能となる。
一方、無線端末等の端末装置には、利用できるデータ量が設定され、該利用できるデータ量を超えてデータ通信をしようとする場合、速度低下等の対策が取られることが多い。このため、店舗の情報を受信する端末装置のユーザにとっては、店舗の情報を受信することによって利用できるデータ量が減少するため、そのサービスの利用が進まないおそれがある。
【０００５】
本発明は、上記問題を解決すべくなされたもので、その目的は、特定の基地局装置の通信エリア内に端末装置のユーザが入ることを促すことを目的とする。
【課題を解決するための手段】
【０００６】
（１）本発明の一態様は、特定のエリアをカバーする一又は複数の基地局装置の識別情報を記憶する第１の記憶部と、端末装置が第１の基地局装置が報知している該第１の基地局装置の識別情報を受信した場合に、該端末装置によって送信される前記第１の基地局装置の識別情報が前記第１の記憶部に記憶されているか否かを判定する判定部と、該判定部によって前記第１の基地局装置の識別情報が前記第１の記憶部に記憶されていると判定された場合に、前記端末装置の識別情報をデータ残量管理サーバへ送信する送信部とを備えるデータ量付与管理サーバと、複数の端末装置の各々の識別情報と、該端末装置が利用できるデータ量とを対応付けて記憶する第２の記憶部と、該第２の記憶部に記憶されるデータ量のうち、前記データ量付与管理サーバによって送信される前記端末装置の識別情報に対応するデータ量を増加させるデータ量管理部と、前記第２の記憶部に記憶される前記端末装置の識別情報のうち、端末装置によって送信されるデータ通信要求に付帯される該端末装置の識別情報に対応するデータ量に基づいて、該データ通信要求を送信した該端末装置によって行われるデータ通信を制御する制御部とを備える、前記データ残量管理サーバとを備える、通信データ量管理システムである。
【０００７】
（２）本発明の一態様は、上記（１）に記載の通信データ量管理システムにおいて、前記第１の記憶部は、前記一又は複数の基地局装置の識別情報の各々と、該基地局装置が報知している該基地局装置の識別情報を端末装置から受信した場合に付与するデータ量とを対応付けて記憶し、前記送信部は、前記判定部によって前記第１の基地局装置の識別情報が前記第１の記憶部に記憶されていると判定された場合に、前記第１の基地局装置の識別情報に対応する第１のデータ量を表す情報を前記データ残量管理サーバへ送信し、前記データ量管理部は、前記第２の記憶部に記憶されるデータ量のうち、前記データ量付与管理サーバによって送信される前記端末装置の識別情報に対応するデータ量に前記第１のデータ量を追加する、通信データ量管理システムである。
【０００８】
（３）本発明の一態様は、上記（１）に記載の通信データ量管理システムにおいて、前記第１の記憶部は、前記一又は複数の基地局装置の識別情報の各々と、一又は複数の端末装置の識別情報とを対応付けて記憶し、前記判定部は、端末装置によって送信される前記第１の基地局装置の識別情報と、該端末装置の識別情報との対応が前記第１の記憶部に記憶されているか否かを判定し、前記送信部は、前記判定部によって前記第１の記憶部に記憶されていると判定された場合に、前記端末装置の識別情報をデータ残量管理サーバへ送信する、通信データ量管理システムである。
【０００９】
（４）本発明の一態様は、上記（１）に記載の通信データ量管理システムにおいて、前記第１の記憶部は、前記一又は複数の基地局装置の識別情報の各々と、該基地局装置の識別情報によって表される基地局装置が報知している該基地局装置の識別情報を送信した端末装置の識別情報と、該端末装置の識別情報によって表される端末装置へデータ量を付与した日時を表す情報とを対応付けて記憶し、前記判定部は、端末装置が第１の基地局装置が報知している該第１の基地局装置の識別情報を受信した場合に、該端末装置によって送信される前記第１の基地局装置の識別情報と、該端末装置の識別情報との組み合わせが前記第１の記憶部に記憶され、且つ該端末装置へデータ量を付与した日時を表す情報によって示される日時から所定の期間が経過しているか否かを判定し、前記送信部は、前記判定部によって前記第１の基地局装置の識別情報と、該端末装置の識別情報との組み合わせが前記第１の記憶部に記憶され、且つ該端末装置へデータ量を付与した日時を表す情報によって示される日時から所定の期間が経過していると判定された場合に、前記端末装置の識別情報をデータ残量管理サーバへ送信する、通信データ量管理システムである。
【００１０】
（５）本発明の一態様は、上記（１）に記載の通信データ量管理システムにおいて、前記第１の記憶部は、複数の端末装置の各々の識別情報と、該端末装置によって送信される前記第１の基地局装置の識別情報のうち、前記判定部によって前記第１の記憶部に記憶されていると判定された基地局装置の識別情報のリストとを対応付けて記憶し、前記送信部は、該判定部によって前記第１の基地局装置の識別情報が前記第１の記憶部に記憶されていると判定された場合に、前記端末装置の識別情報に対応する基地局装置の識別情報のリストの数が閾値未満である場合に、該端末装置の識別情報をデータ残量管理サーバへ送信する、通信データ量管理システムである。
【００１１】
（６）本発明の一態様は、上記（１）から（５）のいずれか１項に記載の通信データ量管理システムにおいて、前記制御部は、前記データ通信要求を送信した端末装置によって行われるデータ通信を制御する際に、前記データ量管理部によって増加させたデータ量から利用する、通信データ量管理システムである。
【００１２】
（７）本発明の一態様は、特定のエリアをカバーする一又は複数の基地局装置の識別情報を記憶する記憶部と、端末装置が第１の基地局装置が報知している該第１の基地局装置の識別情報を受信した場合に、該端末装置によって送信される前記第１の基地局装置の識別情報が前記記憶部に記憶されているか否かを判定する判定部と、該判定部によって前記第１の基地局装置の識別情報が前記記憶部に記憶されていると判定された場合に、前記端末装置の識別情報をデータ残量管理サーバへ送信する送信部とを備え、前記データ残量管理サーバは、前記端末装置の前記識別情報に基づいて、前記端末装置が利用できるデータ量を増加させ、前記データ量に基づいて、前記端末装置のデータ通信を制御する、データ量付与管理サーバである。
【００１３】
（８）本発明の一態様は、複数の端末装置の各々の識別情報と、該端末装置が利用できるデータ量とを対応付けて記憶する記憶部と、該記憶部に記憶されるデータ量のうち、データ量付与管理サーバによって送信される前記端末装置の識別情報に対応するデータ量を増加させるデータ量管理部と、該記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御する制御部とを備え、前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、データ残量管理サーバである。
【００１４】
（９）本発明の一態様は、データ量付与管理サーバによって実行されるデータ量付与管理方法であって、端末装置が第１の基地局装置が報知している該第１の基地局装置の識別情報を受信した場合に、該端末装置によって送信される前記第１の基地局装置の識別情報が、特定のエリアをカバーする一又は複数の基地局装置の識別情報を記憶する記憶部に記憶されているか否かを判定し、前記第１の基地局装置の識別情報が前記記憶部に記憶されていると判定された場合に、前記端末装置の識別情報をデータ残量管理サーバへ送信する、前記データ残量管理サーバは、前記端末装置の前記識別情報に基づいて、前記端末装置が利用できるデータ量を増加させ、前記データ量に基づいて、前記端末装置のデータ通信を制御する、データ量付与管理方法である。
【００１５】
（１０）本発明の一態様は、データ残量管理サーバによって実行されるデータ残量管理方法であって、複数の端末装置の各々の識別情報と、該端末装置が利用できるデータ量とを対応付けて記憶する記憶部に記憶されるデータ量のうち、データ量付与管理サーバによって送信される端末装置の識別情報に対応するデータ量を増加させ、前記記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御する、前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、データ残量管理方法である。
【００１６】
（１１）本発明の一態様は、データ量付与管理サーバのコンピュータに、端末装置が第１の基地局装置が報知している該第１の基地局装置の識別情報を受信した場合に、該端末装置によって送信される前記第１の基地局装置の識別情報が、特定のエリアをカバーする一又は複数の基地局装置の識別情報を記憶する記憶部に記憶されているか否かを判定するステップと、前記第１の基地局装置の識別情報が前記記憶部に記憶されていると判定された場合に、前記端末装置の識別情報をデータ残量管理サーバへ送信するステップとを実行させ、前記データ残量管理サーバは、前記端末装置の前記識別情報に基づいて、前記端末装置が利用できるデータ量を増加させ、前記データ量に基づいて、前記端末装置のデータ通信を制御するプログラムである。
【００１７】
（１２）本発明の一態様は、データ残量管理サーバのコンピュータに、複数の端末装置の各々の識別情報と、該端末装置が利用できるデータ量とを対応付けて記憶する記憶部に記憶されるデータ量のうち、データ量付与管理サーバによって送信される端末装置の識別情報に対応するデータ量を増加させるステップと、前記記憶部に記憶される端末装置の識別情報のうち、端末装置によって送信されるデータ通信要求に付帯される該端末装置の識別情報に対応するデータ量に基づいて、該データ通信要求を送信した該端末装置によって行われるデータ通信を制御するステップとを実行させ、前記データ量付与管理サーバは、前記端末装置が第１の基地局装置が報知している該第１の基地局装置の識別情報を受信した場合に、該端末装置によって送信される前記第１の基地局装置の識別情報を記憶しているか否かを判定し、記憶していると判定した場合に、前記端末装置の識別情報をデータ残量管理サーバへ送信する、プログラムである。
【発明の効果】
【００１８】
本発明の実施形態によれば、特定の基地局装置の通信エリア内に入った端末装置のユーザへ、該特定の基地局装置に対応する通知情報を受信することを促すことができる。
【図面の簡単な説明】
【００１９】
【図１】本実施形態に係る無線通信システムの一例を示す図である。
【図２】本実施形態に係る端末装置の一例を示す図である。
【図３】本実施形態に係る基地局装置の一例を示す図である。
【図４】本実施形態に係る無線通信システムの機能ブロック図である。
【図５】データ付与判定テーブルの一例を示す図である。
【図６】利用データ量テーブルの一例を示す図である。
【図７】本実施形態に係る無線通信システムの動作を示す図である。
【図８】本実施形態に係る無線通信システムの機能ブロック図である。
【図９】データ量付与管理テーブルの一例を示す図である。
【図１０】本実施形態に係る無線通信システムの動作を示す図である。
【図１１】本実施形態に係る無線通信システムの機能ブロック図である。
【図１２】基地局装置の識別情報登録テーブルの一例を示す図である。
【図１３】本実施形態に係る無線通信システムの動作を示す図である。
【発明を実施するための形態】
【００２０】
＜第１の実施形態＞
＜無線通信システム＞
図１は、本実施形態に係る無線通信システムを示す。無線通信システムは、端末装置１００と、基地局装置２００ａと、基地局装置２００ｂと、基地局装置２００ｃと、セルラー基地局装置３００と、データ量付与管理サーバ４００と、データ残量管理サーバ５００とを備えている。
基地局装置２００ａ、基地局装置２００ｂ、及びデータ量付与管理サーバ４００は、インターネット等の通信網２０を介して接続される。また、セルラー基地局装置３００、及びデータ残量管理サーバ５００は、セルラー通信網５０と接続される。セルラー通信網５０の一例はＬＴＥにしたがって構築された通信網である。ただし、セルラー通信網５０は、ＬＴＥにしたがって構築された通信網に限られず、ＬＴＥにしたがって構築された通信網以外の３Ｇ等の通信網を適用できる。図１においては、通信網２０とセルラー通信網５０との間に設けられるゲートウェイは省略される。
【００２１】
以下、基地局装置２００ａと、基地局装置２００ｂと、基地局装置２００ｃとを区別しない場合には基地局装置２００と記載する。
端末装置１００は、音声や文字によって他の装置との間で相互に通信が可能な通信装置であり、端末装置１００の一例は、携帯電話、スマートフォン、タブレット端末等である。端末装置１００は、セルラー基地局装置３００と接続することによって、セルラー通信網５０を経由して、他の装置との間で相互に通信が可能である。また、端末装置１００は、基地局装置２００と接続することによって、通信網２０を経由して、他の装置との間で通信が可能である。例えば、端末装置１００は、無線ＬＡＮ、ブルートゥース、ＮＦＣ（Ｎｅａｒ  ｆｉｅｌｄ  ｒａｄｉｏ  ｃｏｍｍｕｎｉｃａｔｉｏｎ）等の近距離無線通信を行うことによって、基地局装置２００と通信を行う。
【００２２】
端末装置１００は、基地局装置２００が報知する報知情報を受信し、該報知情報に含まれる基地局装置２００の識別情報を取得する。端末装置１００は、基地局装置２００の識別情報を取得すると、該基地局装置２００の識別情報と、該端末装置１００の識別情報とをデータ量付与管理サーバ４００へ送信する。基地局装置２００ａ、及び基地局装置２００ｂは、端末装置１００との間で近距離無線通信を行うとともに、通信網２０の末端となり、複数の端末装置間の通信を中継する。基地局装置２００ｃは該基地局装置２００ｃの位置情報を報知し、端末装置１００は該位置情報を受信する。セルラー基地局装置３００は、端末装置１００との間で無線通信を行うとともに、セルラー通信網５０の末端となり、複数の端末装置間の通信を交換機との間で中継する。
【００２３】
データ量付与管理サーバ４００は、一又は複数の基地局装置の識別情報の各々と、該基地局装置が報知している報知情報に含まれる該基地局装置の識別情報を端末装置１００から受信した場合に付与するデータ量とを対応付けて登録する。データ量付与管理サーバ４００は、端末装置１００によって送信される基地局装置２００の識別情報を受信すると、該基地局装置２００の識別情報が登録されているか否かを判定する。データ量付与管理サーバ４００は、基地局装置２００の識別情報が登録されていると判定した場合、該基地局装置２００の識別情報を送信した端末装置１００の識別情報と、該基地局装置２００の識別情報に対応する付与するデータ量を表す情報とをデータ残量管理サーバ５００へ送信する。
【００２４】
データ残量管理サーバ５００は、複数の端末装置の各々の識別情報と、該端末装置の利用可能データ量とを対応付けて記憶する。データ残量管理サーバ５００は、セルラー基地局装置３００の通信エリアに位置する端末装置１００のデータ通信を該端末装置１００の利用可能データ量に基づいて制御する。データ残量管理サーバ５００は、端末装置１００が利用したデータ量に応じて、利用可能データ量を減少させる。データ残量管理サーバ５００は、利用したデータ量が利用可能データ量に到達し、超過する場合、通信速度を制限する。
データ残量管理サーバ５００は、データ量付与管理サーバ４００によって送信される端末装置１００の識別情報と、付与するデータ量とを表す情報とを受信すると、該端末装置１００の識別情報に対応する該端末装置１００の利用可能データ量を、該付与するデータ量を表す情報によって表されるデータ量だけ増加させる。
【００２５】
端末装置１００によって送信される基地局装置の識別情報がデータ量付与管理サーバ４００に登録されている場合に、該端末装置１００の利用可能データ量を増加させる。これによって、端末装置１００のユーザは、増加したデータ量を利用してデータ通信ができるため、基地局装置が報知する報知情報を受信しようとするインセンティブが働く。このため、例えば、店舗に基地局装置２００を設置した場合に、ユーザに対して、その店舗に入ることを促すことができる。
【００２６】
＜端末装置の構成＞
図２は、本実施形態に係る端末装置１００のハードウェア構成の一例を示す。端末装置１００は、ＣＰＵ２０２と、メモリ２０４と、不揮発性メモリ２０６と、ディスプレイ２１０と、操作部２１２と、記録媒体Ｉ／Ｆ２１４と、通信Ｉ／Ｆ２１６と、内部バス２１８とを備えている。ＣＰＵ２０２は、例えば不揮発性メモリ２０６に格納されるプログラム２０６２を実行し、メモリ２０４をワークメモリとして使用して、端末装置１００の各部を制御する。メモリ２０４は、半導体素子を利用した揮発性のメモリ等のＲＡＭによって構成され、ＣＰＵ２０２のワークメモリとして使用される。不揮発性メモリ２０６は、例えばハードディスク（ＨＤ）やＲＯＭ等によって構成される。不揮発性メモリ２０６には、ＣＰＵ２０２によって実行されるプログラム２０６２が格納される。ディスプレイ２１０は、ＣＰＵ２０２によって制御され、画像、ＧＵＩ（Ｇｒａｐｈｉｃａｌ  Ｕｓｅｒ  Ｉｎｔｅｒｆａｃｅ）等を表示する。
【００２７】
ＣＰＵ２０２は、プログラム２０６２を実行することによって制御信号や、ディスプレイ２１０に表示する画像を表す映像信号を生成する。ＣＰＵ２０２は、画像を表す映像信号をディスプレイ２１０へ出力する。ディスプレイ２１０は、ＣＰＵ２０２によって出力された映像信号を処理することによって、映像を表示する。操作部２１２は、ユーザの操作を受け付ける入力デバイスである。記録媒体Ｉ／Ｆ２１４は、メモリカード、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の記録媒体２２０が装着可能であり、ＣＰＵ２０２の制御によって、記録媒体Ｉ／Ｆ２１４に装着された記録媒体２２０からのデータの読み出しや、該記録媒体２２０へのデータの書き込みを行う。
【００２８】
通信Ｉ／Ｆ２１６は、外部機器や、通信網２０に接続された基地局装置２００や、セルラー通信網５０に接続されたセルラー基地局装置３００等と通信して、ファイル、コマンド、映像データ、音声データ等の各種コンテンツの送受信を行うためのインターフェースである。内部バス２１８は、ＣＰＵ２０２、メモリ２０４、不揮発性メモリ２０６、ディスプレイ２１０、操作部２１２、記録媒体Ｉ／Ｆ２１４、通信Ｉ／Ｆ２１６を互いに接続する。内部バス２１８に接続される各部は、内部バス２１８を介して互いにデータのやりとりを行うことができるようにされている。
【００２９】
＜基地局装置の構成＞
図３は、基地局装置２００のハードウェア構成の一例を示す。基地局装置２００は、ＣＰＵ３０２と、メモリ３０４と、不揮発性メモリ３０６と、通信Ｉ／Ｆ３１６と、内部バス３１８とを備えている。ＣＰＵ３０２は、例えば不揮発性メモリ３０６に格納されるプログラム３０６２を実行し、メモリ３０４をワークメモリとして使用して、基地局装置２００の各部を制御する。メモリ３０４は、半導体素子を利用した揮発性のメモリ等のＲＡＭによって構成される。メモリ３０４は、ＣＰＵ３０２のワークメモリとして使用される。不揮発性メモリ３０６は、例えばハードディスクやＲＯＭ等によって構成され、ＣＰＵ３０２によって実行されるプログラムが格納される。通信Ｉ／Ｆ３１６は、端末装置１００等の外部機器と通信して、ファイル、コマンド、映像データ、音声データ等の各種コンテンツの送受信を行うためのインターフェースである。内部バス３１８は、ＣＰＵ３０２、メモリ３０４、不揮発性メモリ３０６、通信Ｉ／Ｆ３１６を互いに接続する。内部バス３１８に接続される各部は、内部バス３１８を介して互いにデータのやりとりを行うことができるようにされている。
【００３０】
＜セルラー基地局装置、データ量付与管理サーバ、及びデータ残量管理サーバの構成＞
セルラー基地局装置３００、データ量付与管理サーバ４００、及びデータ残量管理サーバ５００のハードウェア構成は、図３を適用できる。ただし、セルラー基地局装置３００の不揮発性メモリ３０６にはセルラー基地局装置３００のＣＰＵ３０２によって実行されるプログラム３０６２が格納される。また、データ量付与管理サーバ４００の不揮発性メモリ３０６にはデータ量付与管理サーバ４００のＣＰＵ３０２によって実行されるプログラム３０６２が格納される。また、データ残量管理サーバ５００の不揮発性メモリ３０６にはデータ残量管理サーバ５００のＣＰＵ３０２によって実行されるプログラム３０６２が格納される。
【００３１】
＜本実施形態に係る無線通信システムの機能構成＞
図４は、本実施形態の無線通信システムを構成する端末装置１００、基地局装置２００、セルラー基地局装置３００、データ量付与管理サーバ４００、及びデータ残量管理サーバ５００の機能ブロック図である。
＜端末装置の機能構成＞
端末装置１００は、無線通信部１５２、近距離無線通信部１５４、通信制御部１５６、操作検出部１５８、表示制御部１６２、記憶部１６４、及び上記各構成要素を図４に示されているように電気的に接続するためのアドレスバスやデータバス等のバスライン１６６を有している。これらの各部は、図４に示されている各構成要素のいずれかが、不揮発性メモリ２０６からメモリ２０４上に展開されたプログラム２０６２を実行するＣＰＵ２０２からの命令によって動作することで実現される機能である。
【００３２】
＜端末装置の各機能構成＞
図２及び図４を用いて、端末装置１００の各機能構成について詳細に説明する。なお、以下では、端末装置１００の各機能構成を説明するにあたって、図２に示されている各構成要素のうち、端末装置１００の各機能構成を実現させるための主なハードウェアとの関係も説明する。
無線通信部１５２は、ＣＰＵ２０２からの命令、及び通信Ｉ／Ｆ２１６によって実現される。無線通信部１５２は、セルラー基地局装置３００等の他の装置との間で各種データの送受信を行う。近距離無線通信部１５４は、ＣＰＵ２０２からの命令、及び通信Ｉ／Ｆ２１６によって実現される。近距離無線通信部１５４は、基地局装置２００等の他の装置との間で各種データの送受信を行う。
【００３３】
通信制御部１５６は、ＣＰＵ２０２がアプリを実行することによって出力する命令、及び通信Ｉ／Ｆ２１６によって実現される。通信制御部１５６は、無線通信部１５２とセルラー基地局装置３００との間での接続処理や、通信制御を行う。また、通信制御部１５６は、近距離無線通信部１５４と基地局装置２００との間での接続処理や、通信制御を行う。通信制御部１５６は、基地局装置２００によって報知される報知情報が近距離無線通信部１５４によって受信された場合に、該報知情報に付帯される基地局装置２００の識別情報を取得する。そして、通信制御部１５６は、後述する記憶部１６４に格納されている端末装置１００の識別情報を取得する。通信制御部１５６は、基地局装置２００の識別情報と、端末装置１００の識別情報とを近距離無線通信部１５４からデータ量付与管理サーバ４００へ送信する。
【００３４】
また、通信制御部１５６は、後述する操作検出部１５８によってデータ通信を要求する操作を検出したことが通知された場合に、端末装置１００の識別情報を付帯したデータ通信要求を作成する。通信制御部１５６は、無線通信部１５２からセルラー基地局装置３００へ、データ通信要求を送信する。操作検出部１５８は、ＣＰＵ２０２からの命令、及び操作部２１２によって実現される。操作検出部１５８は、利用者による各種入力を検出する。例えば、操作検出部１５８は、ユーザによって行われるデータ通信を要求する操作を検出する。操作検出部１５８は、データ通信を要求する操作を検出したことを通信制御部１５６へ通知する。表示制御部１６２は、ＣＰＵ２０２からの命令、及びディスプレイ２１０によって実現される。表示制御部１６２は、ディスプレイ２１０にコンテンツを表示する制御を行う。記憶部１６４は、不揮発性メモリ２０６によって実現される。記憶部１６４は、端末装置１００の識別情報等を記憶する。
【００３５】
＜基地局装置の機能構成＞
基地局装置２００は、通信部２５２、通信制御部２５６、近距離無線通信部２６０、記憶部２６２、及び上記各構成要素を図４に示されているように電気的に接続するためのアドレスバスやデータバス等のバスライン２６４を有している。これらの各部は、図４に示されている各構成要素のいずれかが、基地局装置２００において、不揮発性メモリ３０６からメモリ３０４上に展開されたプログラム３０６２を実行するＣＰＵ３０２からの命令によって動作することで実現される機能である。
【００３６】
＜基地局装置の各機能構成＞
図３及び図４を用いて、基地局装置２００の各機能構成について詳細に説明する。なお、以下では、基地局装置２００の各機能構成を説明するにあたって、図３に示されている各構成要素のうち、基地局装置２００の各機能構成を実現させるための主なハードウェアとの関係も説明する。
通信部２５２は、ＣＰＵ３０２からの命令、及び通信Ｉ／Ｆ３１６によって実現される。通信部２５２は、通信網２０を介して、データ量付与管理サーバ４００等の他の装置との間で各種データの送受信を行う。通信制御部２５６は、ＣＰＵ３０２からの命令、及び通信Ｉ／Ｆ３１６によって実現される。通信制御部２５６は、近距離無線通信部２６０と、端末装置１００の近距離無線通信部１５４との間で近距離無線通信による接続処理や、通信制御を行う。また、通信制御部２５６は、基地局装置２００の識別情報を付帯した報知情報を作成し、近距離無線通信部２６０から報知する制御を行う。具体的には、通信制御部２５６は、基地局装置２００の識別情報を含むビーコン信号を作成し、近距離無線通信部２６０から報知する。近距離無線通信部２６０は、ＣＰＵ３０２からの命令、及び通信Ｉ／Ｆ３１６によって実現される。近距離無線通信部２６０は、近距離無線通信によって、端末装置１００等の他の装置との間で各種データの送受信を行う。記憶部２６２は、不揮発性メモリ２０６によって実現される。記憶部２６２は、基地局装置２００の識別情報を記憶する。
【００３７】
＜セルラー基地局装置の機能構成＞
セルラー基地局装置３００は、通信部３５２、通信制御部３５４、無線通信部３６０、記憶部３６２、及び上記各構成要素を図４に示されているように電気的に接続するためのアドレスバスやデータバス等のバスライン３６４を有している。これらの各部は、図４に示されている各構成要素のいずれかが、セルラー基地局装置３００において、不揮発性メモリ３０６からメモリ３０４上に展開されたプログラム３０６２を実行するＣＰＵ３０２からの命令によって動作することで実現される機能である。
【００３８】
＜セルラー基地局装置の各機能構成＞
図３及び図４を用いて、セルラー基地局装置３００の各機能構成について詳細に説明する。なお、以下では、セルラー基地局装置３００の各機能構成を説明するにあたって、図３に示されている各構成要素のうち、セルラー基地局装置３００の各機能構成を実現させるための主なハードウェアとの関係も説明する。
図４に示されているセルラー基地局装置３００の通信部３５２は、ＣＰＵ３０２からの命令、及び通信Ｉ／Ｆ３１６によって実現される。通信部３５２は、セルラー通信網５０に接続されるデータ残量管理サーバ５００等の他の装置との間で各種データの送受信を行う。
【００３９】
通信制御部３５４は、ＣＰＵ３０２からの命令、及び通信Ｉ／Ｆ３１６によって実現される。通信制御部３５４は、無線通信部３６０と、端末装置１００の無線通信部１５２との間で無線通信による接続処理や、通信制御を行う。通信制御部３５４は、通信部３５２と、データ残量管理サーバ５００の通信部５５２との間での接続処理や、通信制御を行う。また、通信制御部３５４は、端末装置１００によって送信されるデータ通信要求が無線通信部３６０に受信された場合に、該データ通信要求に付帯される端末装置１００の識別情報をデータ残量管理サーバ５００へ送信する。
無線通信部３６０は、ＣＰＵ３０２からの命令、及び通信Ｉ／Ｆ３１６によって実現される。無線通信部３６０は、端末装置１００等の他の装置との間で、ＬＴＥ等の通信規格にしたがって各種データの送受信を行う。
記憶部３６２は、不揮発性メモリ３０６によって実現される。記憶部３６２は、セルラー基地局装置３００の識別情報を記憶する。
【００４０】
＜データ量付与管理サーバの機能構成＞
データ量付与管理サーバ４００は、通信部４５２、通信制御部４５４、データ量付与判定部４５６、記憶部４５８、及び上記各構成要素を図４に示されているように電気的に接続するためのアドレスバスやデータバス等のバスライン４６０を有している。これらの各部は、図４に示されている各構成要素のいずれかが、データ量付与管理サーバ４００において、不揮発性メモリ３０６からメモリ３０４上に展開されたプログラム３０６２を実行するＣＰＵ３０２からの命令によって動作することで実現される機能である。
【００４１】
＜データ量付与管理サーバの各機能構成＞
図３及び図４を用いて、データ量付与管理サーバ４００の各機能構成について詳細に説明する。なお、以下では、データ量付与管理サーバ４００の各機能構成を説明するにあたって、図３に示されている各構成要素のうち、データ量付与管理サーバ４００の各機能構成を実現させるための主なハードウェアとの関係も説明する。
図４に示されているデータ量付与管理サーバ４００の通信部４５２は、ＣＰＵ３０２からの命令、及び通信Ｉ／Ｆ３１６によって実現される。通信部４５２は、通信網２０を介して、基地局装置２００等の他の装置との間で各種データの送受信を行う。また、通信部４５２は、通信網２０、及びセルラー通信網５０を介して、データ残量管理サーバ５００等の他の装置との間で各種データの送受信を行う。
【００４２】
また、通信部４５２は、端末装置１００によって送信される端末装置１００の識別情報と、基地局装置２００の識別情報とを受信すると、該端末装置１００の識別情報と、該基地局装置２００の識別情報とをデータ量付与判定部４５６へ出力する。
通信制御部４５４は、ＣＰＵ３０２からの命令、及び通信Ｉ／Ｆ３１６によって実現される。通信制御部４５４は、通信部４５２と、基地局装置２００の通信部２５２との間での接続処理や、通信制御を行う。また、通信制御部４５４は、後述するデータ量付与判定部４５６によって出力される端末装置の識別情報と、付与するデータ量を表す情報とを通信部４５２からデータ残量管理サーバ５００へ送信する制御を行う。また、通信制御部４５４は、後述するデータ量付与判定部４５６によって出力されるデータ量を付与することを通知する情報を通信部４５２から端末装置１００へ送信する制御を行う。
記憶部４５８は、不揮発性メモリ３０６によって実現される。記憶部４５８は、データ付与判定テーブル４５８２を格納する。
【００４３】
＜データ付与判定テーブル＞
図５は、データ付与判定テーブルの一例を示す。データ付与判定テーブルには、基地局装置の識別情報と、端末装置の識別情報と、付与するデータ量を表す情報とが対応付けて記憶される。
図５に示される例では、基地局装置の識別情報「１１ａａ」と、端末装置の識別情報「０１ａａ」、「０１ｂｂ」、及び「０１ｃｃ」と、付与するデータ量「１ＧＢ」とが対応付けられている。図４に戻り説明を続ける。
データ量付与判定部４５６は、ＣＰＵ３０２からの命令によって実現される。データ量付与判定部４５６は、通信部４５２によって供給される端末装置の識別情報と基地局装置の識別情報との組み合わせが、データ付与判定テーブル４５８２に存在するか否かを判定する。
【００４４】
基地局装置２００ａの識別情報が「１１ａａ」であり、基地局装置２００ｂの識別情報が「１１ｂｂ」であり、端末装置１００の識別情報が「０１ｂｂ」である場合について説明する。端末装置１００が、端末装置１００の識別情報「０１ｂｂ」と、基地局装置２００ａの識別情報「１１ａａ」を通知した場合には、存在すると判定する。また、端末装置１００が、端末装置１００の識別情報「０１ｂｂ」と、基地局装置２００ｂの識別情報「１１ｂｂ」を通知した場合には、存在しないと判定する。
データ量付与判定部４５６は、端末装置の識別情報と基地局装置の識別情報との組み合わせがデータ付与判定テーブル４５８２に存在すると判定した場合、該端末装置の識別情報と該基地局装置の識別情報との組み合わせに対応する付与するデータ量を表す情報を取得する。上記の場合には、端末装置１００が、端末装置１００の識別情報「０１ｂｂ」と、基地局装置２００ａの識別情報「１１ａａ」を通知しているので、データ量付与判定部４５６は、付与するデータ量として「１ＧＢ」を取得する。
【００４５】
データ量付与判定部４５６は、端末装置の識別情報と、付与するデータ量を表す情報とを通信制御部４５４へ出力する。さらに、データ量付与判定部４５６は、データ量を付与することを通知する情報を作成し、通信制御部４５４へ出力する。一方、データ量付与判定部４５６は、端末装置の識別情報と基地局装置の識別情報との組み合わせがデータ付与判定テーブル４５８２に存在しないと判定した場合、通信部４５２によって供給された端末装置の識別情報と基地局装置の識別情報とを破棄する。
【００４６】
＜データ残量管理サーバの機能構成＞
データ残量管理サーバ５００は、通信部５５２、通信制御部５５４、データ量管理部５５６、記憶部５５８、及び上記各構成要素を図４に示されているように電気的に接続するためのアドレスバスやデータバス等のバスライン５６０を有している。これらの各部は、図４に示されている各構成要素のいずれかが、データ残量管理サーバ５００において、不揮発性メモリ３０６からメモリ３０４上に展開されたプログラム３０６２を実行するＣＰＵ３０２からの命令によって動作することで実現される機能である。
【００４７】
＜データ残量管理サーバの各機能構成＞
図３及び図４を用いて、データ残量管理サーバ５００の各機能構成について詳細に説明する。なお、以下では、データ残量管理サーバ５００の各機能構成を説明するにあたって、図３に示されている各構成要素のうち、データ残量管理サーバ５００の各機能構成を実現させるための主なハードウェアとの関係も説明する。
図４に示されているデータ残量管理サーバ５００の通信部５５２は、ＣＰＵ３０２からの命令、及び通信Ｉ／Ｆ３１６によって実現される。通信部５５２は、セルラー通信網５０を介して、セルラー基地局装置３００等の他の装置との間で各種データの送受信を行う。また、通信部５５２は、セルラー通信網５０、及び通信網２０を介して、データ量付与管理サーバ４００等の他の装置との間で各種データの送受信を行う。また、通信部５５２は、データ量付与管理サーバ４００によって送信される端末装置の識別情報と、付与するデータ量を表す情報とを受信すると、該端末装置の識別情報と、付与するデータ量を表す情報とをデータ量管理部５５６へ出力する。記憶部５５８は、不揮発性メモリ３０６によって実現される。記憶部５５８は、利用データ量テーブル５５８２を格納する。
【００４８】
＜利用データ量テーブル＞
図６は、利用データ量テーブル５５８２の一例を示す。利用データ量テーブル５５８２には、端末装置の識別情報と、利用可能データ量を表す情報とが対応付けられる。
図６に示される例では、端末装置の識別情報「０１ａａ」と、利用可能データ量「２ＧＢ」とが対応付けられている。図４に戻り説明を続ける。
データ量管理部５５６は、ＣＰＵ３０２からの命令によって実現される。データ量管理部５５６は、通信部５５２によって供給される端末装置の識別情報と、付与するデータ量を表す情報とに基づいて、利用データ量テーブル５５８２含まれる利用可能データ量を変更する。
一例として、端末装置１００の識別情報「０１ａａ」と、付与するデータ量「１ＧＢ」を表す情報とが通信部５５２によって受信された場合について説明する。この場合、通信部５５２は、データ量管理部５５６へ端末装置１００の識別情報「０１ａａ」と、付与するデータ量「１ＧＢ」を表す情報とを出力する。
【００４９】
データ量管理部５５６は、利用データ量テーブル５５８２を参照し、通信部５５２によって供給された端末装置１００の識別情報「０１ａａ」に対応する利用可能データ量「２ＧＢ」を特定し、該「２ＧＢ」に通信部５５２によって供給された付与するデータ量「１ＧＢ」を加算する。そして、データ量管理部５５６は、加算した値「３ＧＢ」を端末装置１００の識別情報「０１ａａ」に対応する利用データ量の欄に格納する。
通信制御部５５４は、ＣＰＵ３０２からの命令、及び通信Ｉ／Ｆ３１６によって実現される。通信制御部５５４は、通信部５５２と、データ量付与管理サーバ４００の通信部４５２との間での接続処理や、通信制御を行う。通信制御部５５４は、通信部５５２と、セルラー基地局装置３００の通信部３５２との間での接続処理や、通信制御を行う。
【００５０】
また、通信制御部５５４は、利用データ量テーブル５５８２に格納されている利用可能データ量のうち、端末装置１００によって送信されるデータ通信要求に付帯される端末装置の識別情報に対応する利用可能データ量に基づいて、該端末装置１００によって行われるデータ通信を制御する。
具体的には、通信制御部５５４は、端末装置１００が利用したデータ量に応じて、記憶部５５８に記憶される利用データ量テーブル５５８２において、端末装置１００の識別情報に対応する利用可能データ量を減少させる。通信制御部５５４は、利用可能データ量を減少させる場合、付与されたデータ量から減少させるようにしてもよい。そして、通信制御部５５４は、利用したデータ量が利用可能データ量に到達し、超過する場合、通信速度を制限する。通信速度を制限する場合、通信制御部５５４は、通信速度を制限することを表す情報を作成し、通信部５５２から端末装置１００へ送信する。この通信速度を制限することを表す情報は、セルラー基地局装置３００を経由して端末装置１００へ送信される。
【００５１】
＜本実施形態に係る無線通信システムの動作＞
図７は、本実施形態に係る無線通信システムの動作の一例を示す。
ステップＳ７０２では、基地局装置２００の通信制御部２５６は、基地局装置２００の識別情報を付帯した報知情報を生成する。基地局装置２００の近距離無線通信部２６０は、通信制御部２５６が生成した報知情報を報知する。
ステップＳ７０４では、端末装置１００の近距離無線通信部１５４は、基地局装置２００が報知する報知情報を受信する。端末装置１００の通信制御部１５６は、報知情報に付帯される基地局装置２００の識別情報を取得する、そして、通信制御部１５６は、基地局装置２００の識別情報と、端末装置１００の識別情報とを近距離無線通信部１５４からデータ量付与管理サーバ４００へ送信する。基地局装置２００の識別情報と、端末装置１００の識別情報とは、基地局装置２００を経由して、データ量付与管理サーバ４００へ送信される。データ量付与管理サーバ４００の通信部４５２は、端末装置１００が送信する端末装置１００の識別情報と、基地局装置２００の識別情報とを受信する。
【００５２】
ステップＳ７０６では、データ量付与管理サーバ４００のデータ量付与判定部４５６は、通信部４５２から端末装置１００の識別情報と、基地局装置２００の識別情報とが供給されると、該端末装置１００の識別情報と、該基地局装置２００の識別情報との組み合わせが、データ付与判定テーブル４５８２に存在するか否かを判定する。
データ量付与判定部４５６は、該端末装置１００の識別情報と、該基地局装置２００の識別情報との組み合わせが、データ付与判定テーブル４５８２に存在しないと判定した場合、データを付与しないと判定する。この場合、データ量付与判定部４５６は、データ量を付与する処理を終了する。データ量付与判定部４５６は、該端末装置１００の識別情報と、該基地局装置２００の識別情報とを破棄するようにしてもよい。
【００５３】
ステップＳ７０８は、ステップＳ７０６において、データ量付与判定部４５６が該端末装置１００の識別情報と、該基地局装置２００の識別情報との組み合わせが、データ付与判定テーブル４５８２に存在すると判定した場合に実行される。ステップＳ７０８では、データ量付与判定部４５６は、データ付与判定テーブル４５８２から、該端末装置１００の識別情報と、該基地局装置２００の識別情報との組み合わせに対応する付与するデータ量を表す情報を取得する。そして、データ量付与判定部４５６は、該端末装置１００の識別情報と、付与するデータ量を表す情報とを通信制御部４５４へ出力する。通信制御部４５４は、通信部４５２からデータ残量管理サーバ５００へ端末装置１００の識別情報と、付与するデータ量を表す情報とを送信する。データ量付与管理サーバ４００によって送信される端末装置１００の識別情報と、付与するデータ量を表す情報とは、データ残量管理サーバ５００の通信部５５２によって受信される。
【００５４】
ステップＳ７１０では、データ量付与管理サーバ４００のデータ量付与判定部４５６は、データ量を付与することを通知する情報を作成し、通信制御部４５４へ出力する。通信制御部４５４は、データ量を付与することを通知する情報を通信部４５２から端末装置１００へ送信する。
ステップＳ７１２では、データ残量管理サーバ５００のデータ量管理部５５６は、通信部５５２によって供給される端末装置１００の識別情報と、付与するデータ量を表す情報とに基づいて、記憶部５５８に記憶される利用データ量テーブル５５８２において、該端末装置１００の識別情報に対応する利用可能データ量を、付与するデータ量だけ増加させる。
ステップＳ７１４では、端末装置１００の通信制御部１５６は、端末装置１００の識別情報を付帯したデータ通信要求を作成し、無線通信部１５２からセルラー基地局装置３００へ送信する。
【００５５】
ステップＳ７１６では、セルラー基地局装置３００の無線通信部３６０は、端末装置１００によって送信されるデータ通信要求を受信する。セルラー基地局装置３００の通信制御部３５４は、無線通信部３６０によって受信されたデータ通信要求を通信部３５２からデータ残量管理サーバ５００へ送信する。
ステップＳ７１８では、データ残量管理サーバ５００の通信部５５２は、セルラー基地局装置３００によって送信されたデータ通信要求を受信する。データ残量管理サーバ５００の通信制御部５５４は、記憶部５５８に記憶された利用データ量テーブル５５８２に格納されている利用可能データ量のうち、データ通信要求に付帯される端末装置の識別情報に対応する利用可能データ量に基づいて、該データ通信要求を送信した該端末装置のデータ通信を制御する。
【００５６】
本実施形態に係る無線通信システムによれば、基地局装置２００は、該基地局装置２００の識別情報を付帯した報知情報を報知する。端末装置１００は、該報知情報を受信した場合に、該報知情報に付帯される基地局装置２００の識別情報と、端末装置１００の識別情報とをデータ量付与管理サーバ４００へ送信する。データ量付与管理サーバ４００は、端末装置１００へデータ量を付与するか否かを判定する。データ量付与管理サーバ４００は、データ量を付与すると判定した場合、端末装置１００の識別情報と、付与するデータ量とをデータ残量管理サーバ５００へ通知する。データ残量管理サーバ５００は、端末装置１００の利用可能データ量を増加させる。
つまり、特定の基地局装置２００によって報知される報知情報を受信できる通信エリアに端末装置１００が入った場合、該端末装置１００へデータ量が付与される。このため、端末装置１００のユーザに対して、基地局装置２００の通信エリアへ入ることを促すことができる。例えば、店舗に基地局装置２００を設置することによって、該店舗へ端末装置１００のユーザが入ることを促すことができる。
【００５７】
＜第２の実施形態＞
＜無線通信システム＞
本実施形態に係る無線通信システムは、図１−図３を適用できる。ただし、データ量付与管理サーバ４００の代わりにデータ量付与管理サーバ６００を備える。
＜本実施形態に係る無線通信システムの機能構成＞
図８は、本実施形態の無線通信システムを構成する端末装置１００、基地局装置２００、セルラー基地局装置３００、データ量付与管理サーバ６００、及びデータ残量管理サーバ５００の機能ブロック図である。
【００５８】
＜データ量付与管理サーバの機能構成＞
データ量付与管理サーバ６００は、通信部６５２、通信制御部６５４、データ量付与判定部６５６、記憶部６５８、及び上記各構成要素を図８に示されているように電気的に接続するためのアドレスバスやデータバス等のバスライン６６０を有している。これらの各部は、図８に示されている各構成要素のいずれかが、データ量付与管理サーバ６００において、不揮発性メモリ３０６からメモリ３０４上に展開されたプログラム３０６２を実行するＣＰＵ３０２からの命令によって動作することで実現される機能である。
【００５９】
＜データ量付与管理サーバの各機能構成＞
図３及び図８を用いて、データ量付与管理サーバ６００の各機能構成について詳細に説明する。なお、以下では、データ量付与管理サーバ６００の各機能構成を説明するにあたって、図３に示されている各構成要素のうち、データ量付与管理サーバ６００の各機能構成を実現させるための主なハードウェアとの関係も説明する。
図８に示されているデータ量付与管理サーバ６００の通信部６５２、及び通信制御部６５４は、データ量付与管理サーバ４００の通信部４５２、及び通信制御部４５４を適用できる。
記憶部６５８は、不揮発性メモリ３０６によって実現される。記憶部６５８は、データ付与判定テーブル６５８２と、データ量付与管理テーブル６５８４とを格納する。データ付与判定テーブル６５８２は、データ付与判定テーブル４５８２を適用できる。
【００６０】
＜データ量付与管理テーブル＞
図９は、データ量付与管理テーブル６５８４の一例を示す。データ量付与管理テーブル６５８４には、基地局装置の識別情報と、端末装置の識別情報と、付与したデータ量を表す情報と、付与した日時を表す情報とが対応付けられる。
図９に示される例では、基地局装置の識別情報「１１ａａ」と、端末装置の識別情報「０１ｂｂ」と、付与したデータ量「３ＧＢ」と、付与した日時「２０１６．０１．２０」とが対応付けられている。図８に戻り説明を続ける。
【００６１】
データ量付与判定部６５６は、ＣＰＵ３０２からの命令によって実現される。データ量付与判定部６５６は、通信部６５２によって供給される端末装置の識別情報と、基地局装置の識別情報との組み合わせが、データ付与判定テーブル６５８２に存在するか否かを判定する。
さらに、データ量付与判定部６５６は、端末装置の識別情報と、基地局装置の識別情報との組み合わせがデータ付与判定テーブル６５８２に存在すると判定した場合、該端末装置の識別情報と、該基地局装置の識別情報との組み合わせに対応する付与するデータ量を取得する。そして、データ量付与判定部６５６は、データ量付与管理テーブル６５８４を参照し、該端末装置の識別情報と該基地局装置の識別情報との組み合わせに対応する付与したデータ量及び付与した日時のいずれか一方又は両方に基づいて新たにデータ量を付与する否かを判定する。
【００６２】
＜判定例（その１）＞
データ量付与判定部６５６は、付与した日時から、基地局装置の識別情報と端末装置の識別情報とを受信した日時までの経過期間に基づいて新たにデータ量を付与するか否かを判定する。具体的には、データ量付与判定部６５６は、経過期間が所定の期間を超えている場合に新たにデータ量を付与し、経過期間が所定の期間を超えていない場合にデータ量を付与しないと判定する。これによって、データ量を付与されたユーザに対して、所定の期間内に何度もデータ量が付与されるのを防止できる。
＜判定例（その２）＞
データ量付与判定部６５６は、付与したデータ量に基づいて新たにデータ量を付与するか否かを判定する。具体的には、データ量付与判定部６５６は、付与したデータ量が所定の閾値以下である場合に新たにデータ量を付与し、付与したデータ量が所定の閾値を超える場合にデータ量を付与しないと判定する。これによって、付与するデータ量を所定の閾値を超えないように制御できる。ここで、所定の閾値は、一つの基地局装置に対して設定されてもよいし、全ての基地局装置に対して設定されてもよい。
＜判定例（その３）＞
データ量付与判定部６５６は、付与した日時から、基地局装置の識別情報と端末装置の識別情報とを受信した日時までの経過期間、及び付与したデータ量に基づいて新たにデータ量を付与するか否かを判定する。具体的には、データ量付与判定部６５６は、経過期間が所定の期間を超え、且つ付与したデータ量が所定の閾値以下である場合に新たにデータ量を付与する。また、データ量付与判定部６５６は、経過期間が所定の期間を超えていない場合、又は付与したデータ量が所定の閾値を超えている場合に新たにデータ量を付与しないと判定する。これによって、所定の期間内で付与するデータ量を制限することができる。
【００６３】
端末装置１００が、「２０１６．０１．３０」に、端末装置１００の識別情報「０１ｂｂ」と、基地局装置２００ａの識別情報「１１ａａ」を通知した場合について説明する。ここで、閾値は５ＧＢであり、所定の期間は７日である。データ量付与判定部６５６は、データ量付与管理テーブル６５８４を参照し、端末装置１００の識別情報「０１ｂｂ」と、基地局装置２００ａの識別情報「１１ａａ」との組み合わせに対応する付与したデータ量が所定の閾値以下であるか否かを判定する。この場合、端末装置１００の識別情報「０１ｂｂ」と、基地局装置２００ａの識別情報「１１ａａ」との組み合わせに対応する付与したデータ量は「３ＧＢ」であり、「５ＧＢ」以下であるため、閾値以下であると判定する。さらに、データ量付与判定部６５６は、データ量付与管理テーブル６５８４を参照し、２０１６．０１．３０は付与した日時から１０日であり、所定の期間の７日が経過していると判定する。データ量付与判定部６５６は、新たにデータ量を割り当てると判定する。
【００６４】
データ量付与判定部６５６は、新たにデータ量を割り当てると判定した場合に、端末装置の識別情報と、付与するデータ量を表す情報とを通信制御部６５４へ出力する。通信制御部６５４は、通信部６５２からデータ残量管理サーバ５００へ、端末装置の識別情報と、付与するデータ量を表す情報を送信する。そして、データ量付与判定部６５６は、記憶部６５８に記憶されているデータ量付与管理テーブル６５８４の各欄を更新する。
上記の場合、データ量付与判定部６５６は、データ量付与管理テーブル６５８４の端末装置１００の識別情報「０１ｂｂ」と、基地局装置２００ａの識別情報「１１ａａ」との組み合わせに対応する付与したデータ量の欄に「３ＧＢ」に「１ＧＢ」を追加した「４ＧＢ」を格納し、付与した日時の欄に「２０１６．０１．３０」を格納する。
【００６５】
一方、データ量付与判定部６５６は、端末装置の識別情報と、基地局装置の識別情報との組み合わせがデータ付与判定テーブル６５８２に存在しないと判定した場合には、通信部６５２によって供給された端末装置の識別情報と、基地局装置の識別情報とを破棄する。また、データ量付与判定部６５６は、新たにデータ量を割り当てないと判定した場合には、通信部６５２によって供給される端末装置の識別情報と、基地局装置の識別情報とを破棄する。データ量付与判定部６５６は、データ量付与管理テーブル６５８４に記憶された基地局装置の識別情報と、端末装置の識別情報と、付与したデータ量と、付与した日時との対応において、付与した日時から所定の期間が満了した対応を削除するようにしてもよい。そして、データ量付与判定部６５６は、データ残量管理サーバ５００へ、該対応の削除を依頼するようにしてもよい。
【００６６】
＜本実施形態に係る無線通信システムの動作＞
図１０は、本実施形態に係る無線通信システムの動作の一例を示す。
ステップＳ１００２−Ｓ１００６は、図７のステップＳ７０２−Ｓ７０６を適用できる。
ステップＳ１００８では、ステップＳ１００６において端末装置１００の識別情報と、基地局装置２００の識別情報との組み合わせが、データ付与判定テーブル６５８２に存在すると判定された場合に実行される。
ステップＳ１００８では、データ量付与管理サーバ６００のデータ量付与判定部６５６は、データ量付与管理テーブル６５８４を参照し、端末装置１００の識別情報と、基地局装置２００の識別情報との組み合わせに対応する付与したデータ量、及び付与した日時のいずれか一方又は両方に基づいて、新たにデータ量を付与するか否かを判定する。データ量付与判定部６５６によって、新たにデータ量を付与しないと判定された場合、終了する。この場合、データ量付与判定部６５６は、端末装置１００の識別情報と、基地局装置２００の識別情報と破棄するようにしてもよい。
【００６７】
ステップＳ１０１０では、ステップＳ１００８において、データ量付与判定部６５６によって、新たにデータ量を付与すると判定された場合に実行される。
ステップＳ１０１０では、データ量付与管理サーバ６００のデータ量付与判定部６５６は、通信部６５２からデータ残量管理サーバ５００へ端末装置１００の識別情報と、付与するデータ量を表す情報とを送信する。
ステップＳ１０１２−Ｓ１０２０は、図７のステップＳ７１０−Ｓ７１８を適用できる。
【００６８】
本実施形態において、データ量付与管理サーバ６００は、付与した日時から所定の期間が経過した場合に、付与したデータ量を零にリセットし、データ残量管理サーバ５００へ利用可能データ量のうち、付与したデータ量を使用しないことを要求する情報を送信するようにしてもよい。そして、データ残量管理サーバ５００は、データ量付与管理サーバ６００によって通知された付与したデータ量を使用しないことを要求する情報に基づいて、記憶部５５８に記憶された利用データ量テーブル５５８２の利用可能データ量のうち、付与されたデータ量を使用しないようにする。例えば、データ残量管理サーバ５００は、利用データ量テーブル５５８２の利用可能データ量から付与されたデータ量を減算するようにしてもよいし、利用データ量テーブル５５８２から削除するようにしてもよい。
【００６９】
本実施形態によれば、基地局装置の識別情報と端末装置の識別情報との組み合わせ毎に付与したデータ量を記憶し、さらに付与したデータ量が閾値より大きい場合に、データ量を付与しない。これによって、特定の基地局装置２００によって報知される報知情報を受信できる通信エリアに端末装置１００が何度も出入りすることによって、該端末装置１００へ多くのデータ量が付与されることを防止できる。
さらに、基地局装置の識別情報と端末装置の識別情報との組み合わせ毎に付与した日時を記憶し、さらに付与した日時から所定の期間が経過していない場合に、データ量を付与しない。これによって、データ量を付与されたユーザに対して、所定の期間内に何度もデータ量が付与されるのを防止できる。
【００７０】
＜第３の実施形態＞
＜無線通信システム＞
本実施形態に係る無線通信システムは、図１−図３を適用できる。ただし、データ量付与管理サーバ４００の代わりにデータ量付与管理サーバ７００を備える。
＜本実施形態に係る無線通信システムの機能構成＞
図１１は、本実施形態の無線通信システムを構成する端末装置１００、基地局装置２００、セルラー基地局装置３００、データ量付与管理サーバ７００、及びデータ残量管理サーバ５００の機能ブロック図である。
【００７１】
＜データ量付与管理サーバの機能構成＞
データ量付与管理サーバ７００は、通信部７５２、通信制御部７５４、データ量付与判定部７５６、記憶部７５８、及び上記各構成要素を図１１に示されているように電気的に接続するためのアドレスバスやデータバス等のバスライン７６０を有している。これらの各部は、図１１に示されている各構成要素のいずれかが、データ量付与管理サーバ７００において、不揮発性メモリ３０６からメモリ３０４上に展開されたプログラム３０６２を実行するＣＰＵ３０２からの命令によって動作することで実現される機能である。
【００７２】
＜データ量付与管理サーバの各機能構成＞
図３及び図１１を用いて、データ量付与管理サーバ７００の各機能構成について詳細に説明する。なお、以下では、データ量付与管理サーバ７００の各機能構成を説明するにあたって、図３に示されている各構成要素のうち、データ量付与管理サーバ７００の各機能構成を実現させるための主なハードウェアとの関係も説明する。
【００７３】
図１１に示されているデータ量付与管理サーバ７００の通信部７５２、及び通信制御部７５４は、データ量付与管理サーバ４００の通信部４５２、及び通信制御部４５４を適用できる。
記憶部７５８は、不揮発性メモリ３０６によって実現される。記憶部７５８は、データ付与判定テーブル７５８２と、基地局装置の識別情報登録テーブル７５８４とを格納する。
データ付与判定テーブル７５８２は、データ付与判定テーブル４５８２を適用できる。
【００７４】
＜基地局装置の識別情報登録テーブル＞
図１２は、基地局装置の識別情報登録テーブル７５８４の一例を示す。基地局装置の識別情報登録テーブル７５８４には、端末装置の識別情報と、該端末装置が侵入した通信エリアをカバーする基地局装置の識別情報とが対応付けられる。
図１２に示される例では、端末装置の識別情報が「０１ａａ」と、基地局装置の識別情報「１１ａａ」、及び「２２ｂｂ」とが対応付けられている。これは、識別情報が「０１ａａ」である端末装置が、識別情報が「１１ａａ」である基地局装置と、識別情報が「２２ｂｂ」である基地局装置の通信エリアに入っていたことを示している。図１１に戻り説明を続ける。
【００７５】
データ量付与判定部７５６は、ＣＰＵ３０２からの命令によって実現される。データ量付与判定部７５６は、通信部７５２によって供給される端末装置１００の識別情報と、基地局装置２００の識別情報との組み合わせが、データ付与判定テーブル７５８２に存在するか否かを判定する。
さらに、データ量付与判定部７５６は、端末装置１００の識別情報と、基地局装置２００の識別情報との組み合わせがデータ付与判定テーブル７５８２に存在すると判定した場合、基地局装置の識別情報登録テーブル７５８４を参照し、該端末装置の識別情報に対応する基地局装置の識別情報の数が閾値未満であるか否かを判定する。
【００７６】
データ量付与判定部７５６は、該端末装置１００の識別情報に対応する基地局装置の識別情報の数が閾値未満であると判定した場合、データ付与判定テーブル７５８２から、端末装置１００の識別情報と、基地局装置２００の識別情報との組み合わせに対応する付与するデータ量を取得する。そして、データ量付与判定部７５６は、通信部７５２からデータ残量管理サーバ５００へ、端末装置１００の識別情報と、付与するデータ量を表す情報を送信する。そして、データ量付与判定部７５６は、記憶部７５８に記憶されている基地局装置の識別情報登録テーブル７５８４の各欄を更新する。
一方、データ量付与判定部７５６は、該端末装置１００の識別情報に対応する基地局装置の識別情報の数が閾値以上であると判定した場合、通信部７５２によって供給される端末装置の識別情報と、基地局装置２００の識別情報とを破棄する。
【００７７】
＜本実施形態に係る無線通信システムの動作＞
図１３は、本実施形態に係る無線通信システムの動作の一例を示す。
ステップＳ１３０２−Ｓ１３０６は、図７のステップＳ７０２−Ｓ７０６を適用できる。
ステップＳ１３０８では、ステップＳ１３０６において端末装置１００の識別情報と、基地局装置２００の識別情報との組み合わせが、データ付与判定テーブル７５８２に存在すると判定された場合に実行される。
【００７８】
ステップＳ１３０８では、データ量付与管理サーバ７００のデータ量付与判定部７５６は、基地局装置の識別情報登録テーブル７５８４を参照し、端末装置１００の識別情報に対応する基地局装置の識別情報の数が閾値未満であるか否かを判定する。端末装置１００の識別情報に対応する基地局装置の識別情報の数が閾値以上である場合、終了する。この場合、データ量付与判定部６５６は、端末装置１００の識別情報と、基地局装置２００の識別情報と破棄するようにしてもよい。
【００７９】
ステップＳ１３１０では、ステップＳ１３０８において、端末装置１００の識別情報に対応する基地局装置の識別情報の数が閾値未満である場合に実行される。
ステップＳ１３１０では、データ量付与管理サーバ７００のデータ量付与判定部７５６は、通信部７５２からデータ残量管理サーバ５００へ端末装置１００の識別情報と、付与するデータ量を表す情報とを送信する。
ステップＳ１３１２−Ｓ１３２０は、図７のステップＳ７１０−Ｓ７１８を適用できる。
【００８０】
本実施形態によれば、端末装置の識別情報毎に、該端末装置が入った通信エリアをカバーする基地局装置の識別情報を記憶し、基地局装置の識別情報が閾値以上の端末装置にはデータ量を付与しない。これによって、端末装置１００が出入りする通信エリアをカバーする特定の基地局装置の数を制限できる。
つまり、端末装置の識別情報毎に管理する基地局装置の識別情報の登録数が閾値を以上となった場合に、端末装置にデータ量を付与しない。例えば、ある端末装置が基地局装置Ａ、基地局装置Ｂ、・・・、基地局装置Ｎによってデータを付与された場合に、基地局（Ｎ＋１）の通信エリアに侵入した場合でもデータ量を新たに付与しない。
【００８１】
上述した実施形態において、基地局装置２００は一台であってもよいし、三台以上であってもよい。また、セルラー基地局装置３００は二台以上でもよい。
また、データ量付与管理サーバ４００、６００、及び７００によって実行される処理と、データ残量管理サーバ５００によって実行される処理とが一台のサーバによって実行されてもよい。
また、セルラー基地局装置３００によって報知情報が報知されてもよい。
上述した第１の実施形態−第２の実施形態のいずれかが組み合わされてもよい。
上述した実施形態において、基地局装置２００毎に付与するデータ量をプールしておき、該プールしておいたデータ量が零になるまで、端末装置１００にデータを付与するようにしてもよい。
また、データ残量管理サーバは、追加されたデータ量の残量が零になった場合に、データ量付与管理サーバに、データ量の残量がゼロになった端末装置の識別情報を通知するようにしてもよい。そして、データ量付与管理サーバは、記憶部に登録されているデータ量付与管理テーブルから該当の端末装置の登録を削除するようにしてもよい。
【００８２】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更、組合せを行うことができる。これら実施形態及びその変形は、発明の範囲や要旨に含まれると同時に、特許請求の範囲に記載された発明とその均等の範囲に含まれるものである。
【００８３】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【００８４】
上述した実施形態において、無線通信システムは通信データ量管理システムの一例であり、基地局装置２００は特定のエリアをカバーする一又は複数の基地局装置の一例であり、データ量付与判定部４５６、６５６及び７５６は判定部の一例であり、通信部４５２、６５２及び７５２は送信部の一例であり、記憶部４５８、６５８及び７５８は第１の記憶部の一例であり、記憶部５５８は第２の記憶部の一例であり、通信制御部５５４は制御部の一例である。
【符号の説明】
【００８５】
２０…通信網、５０…セルラー通信網、１００…端末装置、１５２…無線通信部、１５４…近距離無線通信部、１５６…通信制御部、１５８…操作検出部、１６２…表示制御部、１６４…記憶部、２００ａ、２００ｂ…基地局装置、２５２…通信部、２５６…通信制御部、２６０…近距離無線通信部、２６２…記憶部、３００…セルラー基地局装置、３５２…通信部、３５４…通信制御部、３６０…無線通信部、３６２…記憶部、４００、６００、７００…データ量付与管理サーバ、４５２…通信部、４５４…通信制御部、４５６…データ量付与判定部、４５８…記憶部、５００…データ残量管理サーバ、５５２…通信部、５５４…通信制御部、５５６…データ量管理部、５５８…記憶部、４５８２、６５８２、７５８２…データ付与判定テーブル、５５８２…利用データ量テーブル、６５８４…データ量付与管理テーブル、７５８４…基地局装置の識別情報登録テーブル
【図１】
0006556077.tif 000002
【図２】
0006556077.tif 000003
【図３】
0006556077.tif 000004
【図４】
0006556077.tif 000005
【図５】
0006556077.tif 000006
【図６】
0006556077.tif 000007
【図７】
0006556077.tif 000008
【図８】
0006556077.tif 000009
【図９】
0006556077.tif 000010
【図１０】
0006556077.tif 000011
【図１１】
0006556077.tif 000012
【図１２】
0006556077.tif 000013
【図１３】
0006556077.tif 000014